(57)【要約】      （修正有）【課題】被固定物を固定ナットで固定した際、固定ナットから露出しているボルトの長さに拘わりなく装着することができる固定ナット用着脱式防犯具を提供する。【解決手段】固定ナット４の下端面に係止する冠着用係止爪を有する冠着部材２０には、周壁部材用係止爪２４，２５が配設されている。冠着部材２０の上面部には、ボルト３が貫通可能な挿通口が形成されている。周壁部材３０の上部には、切欠部３３を有する円状鍔部３２が形成されている。周壁部材３０の内部には、冠着部材２０の上端部に係合可能なリング３４が遊嵌状態で配設されている。ボルト３の挿通口７３を有する装着解除具７０には、切欠部３３に挿入可能で、且つリング３４を押し下げる押下脚部７２が配設されている。押下脚部７２には、切込部７２ａが形成されており、この切込部７２ａの下端部は円状鍔部３２の下縁部に当接する。【選択図】図６
0003138498.tif 000002
【実用新案登録請求の範囲】
【請求項１】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する前記固定
ナットで前記ボルトに固定した際、前記固定ナットの下端面と前記被固定物の表面との間
に空隙を形成するスペース形成手段と、
中央部に前記ボルトが挿通可能な挿通口を有する天板部と該天板部の周縁部から下方に
延在する複数枚の側壁部とを有し、前記固定ナットに冠着する冠着部材であって、前記複
数枚の側壁部の下端部には、前記固定ナットに冠着した際、前記被固定物の表面と前記固
定ナットの下端面との間に形成されている空隙部分に挿入可能な冠着用係止爪が形成され
ている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、当該リングの内側には、前記冠着部
材の前記周壁部材用係止爪とこれに隣接している前記側壁部によって形成される隙間また
は相隣接している２つの前記周壁部材用係止爪によって形成される隙間に挿入可能で且つ
前記隙間の上端部に当接可能な複数個の係合突起部が形成され、
前記装着解除具は、
中央部に鉛直方向に延在する前記ボルト用の挿通口が形成された本体と、該本体から鉛
直方向下方に延在し且つ前記円状鍔部の複数個の前記切欠部のそれぞれに上方から嵌入可
能な複数個の押下脚部とから構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成されていること
を特徴とする固定ナット用着脱式防犯具。
【請求項２】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する前記固定
ナットで前記ボルトに固定した際、前記固定ナットの下端面と前記被固定物の表面との間
に空隙を形成するスペース形成手段と、
中央部に前記ボルトが挿通可能な挿通口を有する天板部と該天板部の周縁部から下方に
延在する複数枚の側壁部とを有し、前記固定ナットに冠着する冠着部材であって、前記複
数枚の側壁部の下端部には、前記固定ナットに冠着した際、前記被固定物の表面と前記固
定ナットの下端面との間に形成されている空隙部分に挿入可能な冠着用係止爪が形成され
ている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、当該リングの内側には、前記冠着部
材の前記周壁部材用係止爪とこれに隣接している前記側壁部によって形成される隙間また
は相隣接している２つの前記周壁部材用係止爪によって形成される隙間に挿入可能で且つ
前記隙間の上端部に当接可能な複数個の係合突起部が形成され、
前記周壁部材の前記円状鍔部の内側には、当該円状鍔部と一体的に円状天蓋部が形成さ
れ、該円状天蓋部の中央部には前記ボルトと螺合可能な螺合口が形成され、
前記装着解除具は、
中央部に鉛直方向に延在する前記ボルト用の挿通口が形成された本体と、該本体から鉛
直方向下方に延在し且つ前記円状鍔部の複数個の前記切欠部のそれぞれに上方から嵌入可
能な複数個の押下脚部とから構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成されていること
を特徴とする固定ナット用着脱式防犯具。
【請求項３】
前記固定ナットの少なくとも前記下端面側には面取り加工が施されており、当該面取り
部分が前記スペース形成手段となることを特徴とする請求項１または請求項２に記載の固
定ナット用着脱式防犯具。
【考案の詳細な説明】
【技術分野】
【０００１】
本考案は、床等の対象物に固定されているボルトに、固定ナットを用いて被固定物を固
定した際に、この被固定物を盗難から守る固定ナット用着脱式防犯具に関するものである
。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
近年、駐車中の自動車等の車体からナンバープレートのみを盗むという犯罪が増加して
いる。この犯罪を行なう者は、一般に市販されているドライバ等の器具を用いて、固定ボ
ルトを外し短時間のうちにナンバープレートのみを盗んでいく。
【０００４】
このような固定ボルトや固定ナットを外して行なわれる盗難事件を防ぐために、固定ボ
ルトの頭部や固定ナットを外部に露呈させない固定ボルトおよび固定ナット用の着脱式の
防犯具を本願出願人は既に提案している（特開２００６−１６２０５１）。
【０００５】
本願出願人が既に提案した固定ボルトおよび固定ナット用の着脱式の防犯具は、図１２
，図１３に示したように、冠着部材２０と周壁部材３０とから構成されており、固定ボル
トの頭部や固定ナットに装着することができるものである。この固定ボルトおよび固定ナ
ット用の着脱式の防犯具は、タイヤＴやホイールＨを交換する等の場合には、専用の係止
解除具を用いて外すことができる構成となっている。
【特許文献１】特開２００６−１６２０５１
【考案の開示】
【考案が解決しようとする課題】
【０００６】
しかしながら、このような先に提案した固定ボルトおよび固定ナット用の着脱式の防犯
具においては、図１４に示したように、被固定物５を固定ナット４で固定した際、固定ナ
ット４の上部に露出しているボルト３の先端部の長さが長い場合には装着することができ
ないという問題が生じる。
【課題を解決するための手段】
【０００７】
以上の課題を解決するために、本考案の第一の手段は、固定ナットに装着される固定ナ
ット用防犯具と、該固定ナット用防犯具の装着状態を解除する装着解除具とから構成され
る固定ナット用着脱式防犯具であって、前記固定ナット用防犯具は、対象物に固定されて
いるボルトが挿通可能な被固定物を当該ボルトと螺合する前記固定ナットで前記ボルトに
固定した際、前記固定ナットの下端面と前記被固定物の表面との間に空隙を形成するスペ
ース形成手段と、中央部に前記ボルトが挿通可能な挿通口を有する天板部と該天板部の周
縁部から下方に延在する複数枚の側壁部とを有し、前記固定ナットに冠着する冠着部材で
あって、前記複数枚の側壁部の下端部には、前記固定ナットに冠着した際、前記被固定物
の表面と前記固定ナットの下端面との間に形成されている空隙部分に挿入可能な冠着用係
止爪が形成されている冠着部材と、前記固定ナットに冠着した前記冠着部材の外側面部を
覆う中空円筒状の周壁部材であって、該周壁部材の内周壁面の下端部には、内側方向に突
設され前記冠着部材の側壁部を押圧する円状突起部が形成され、前記内周壁面の上端部に
は、内側方向に突設された円状鍔部であって複数個の切欠部を有する円状鍔部が形成され
ている周壁部材とから構成され、前記冠着部材には、前記周壁部材の前記円状突起部の上
面部分に係合する周壁部材用係止爪であって、前記天板部の周縁部から下方に延在する周
壁部材用係止爪が形成され、前記周壁部材の内側には、当該周壁部材の内径と略同じ外径
を有し、内径が前記円状突起部の内径以下であるリングが遊嵌状態で配設され、当該リン
グの内側には、前記冠着部材の前記周壁部材用係止爪とこれに隣接している前記側壁部に
よって形成される隙間または相隣接している２つの前記周壁部材用係止爪によって形成さ
れる隙間に挿入可能で且つ前記隙間の上端部に当接可能な複数個の係合突起部が形成され
、前記装着解除具は、中央部に鉛直方向に延在する前記ボルト用の挿通口が形成された本
体と、該本体から鉛直方向下方に延在し且つ前記円状鍔部の複数個の前記切欠部のそれぞ
れに上方から嵌入可能な複数個の押下脚部とから構成され、前記押下脚部は、前記切欠部
に嵌入され前記係合環部材が前記円状突起部の上縁部に当接するまで押し下げられた状態
で、前記リングの上縁部と前記円状鍔部の上縁部との距離以上となる長さを有し、且つ、
両側辺の一方の側に前記円状鍔部の下縁部に相当する位置から上方に向かって当該円状鍔
部の厚み以上の長さを有する切込部が形成されていることを特徴とするものである。
【０００８】
また、本考案の第２の手段は、固定ナットに装着される固定ナット用防犯具と、該固定
ナット用防犯具の装着状態を解除する装着解除具とから構成される固定ナット用着脱式防
犯具であって、前記固定ナット用防犯具は、対象物に固定されているボルトが挿通可能な
被固定物を当該ボルトと螺合する前記固定ナットで前記ボルトに固定した際、前記固定ナ
ットの下端面と前記被固定物の表面との間に空隙を形成するスペース形成手段と、中央部
に前記ボルトが挿通可能な挿通口を有する天板部と該天板部の周縁部から下方に延在する
複数枚の側壁部とを有し、前記固定ナットに冠着する冠着部材であって、前記複数枚の側
壁部の下端部には、前記固定ナットに冠着した際、前記被固定物の表面と前記固定ナット
の下端面との間に形成されている空隙部分に挿入可能な冠着用係止爪が形成されている冠
着部材と、前記固定ナットに冠着した前記冠着部材の外側面部を覆う中空円筒状の周壁部
材であって、該周壁部材の内周壁面の下端部には、内側方向に突設され前記冠着部材の側
壁部を押圧する円状突起部が形成され、前記内周壁面の上端部には、内側方向に突設され
た円状鍔部であって複数個の切欠部を有する円状鍔部が形成されている周壁部材とから構
成され、前記冠着部材には、前記周壁部材の前記円状突起部の上面部分に係合する周壁部
材用係止爪であって、前記天板部の周縁部から下方に延在する周壁部材用係止爪が形成さ
れ前記周壁部材の内側には、当該周壁部材の内径と略同じ外径を有し、内径が前記円状突
起部の内径以下であるリングが遊嵌状態で配設され、当該リングの内側には、前記冠着部
材の前記周壁部材用係止爪とこれに隣接している前記側壁部によって形成される隙間また
は相隣接している２つの前記周壁部材用係止爪によって形成される隙間に挿入可能で且つ
前記隙間の上端部に当接可能な複数個の係合突起部が形成され、前記周壁部材の前記円状
鍔部の内側には、当該円状鍔部と一体的に円状天蓋部が形成され、該円状天蓋部の中央部
には前記ボルトと螺合可能な螺合口が形成され、前記装着解除具は、中央部に鉛直方向に
延在する前記ボルト用の挿通口が形成された本体と、該本体から鉛直方向下方に延在し且
つ前記円状鍔部の複数個の前記切欠部のそれぞれに上方から嵌入可能な複数個の押下脚部
とから構成され、前記押下脚部は、前記切欠部に嵌入され前記係合環部材が前記円状突起
部の上縁部に当接するまで押し下げられた状態で、前記リングの上縁部と前記円状鍔部の
上縁部との距離以上となる長さを有し、且つ、両側辺の一方の側に前記円状鍔部の下縁部
に相当する位置から上方に向かって当該円状鍔部の厚み以上の長さを有する切込部が形成
されていることを特徴とするものである。
【０００９】
さらに、前述した本考案の第１の手段または第２の手段において、前記固定ナットの少
なくとも前記下端面側には面取り加工が施されている場合には、当該面取り部分を前記ス
ペース形成手段としてもよい。
【考案の効果】
【００１０】
本考案によれば、被固定物を固定ナットで固定した際、固定ナットから露出しているボ
ルトの長さに拘わりなく装着することができる固定ナット用着脱式防犯具を提供すること
ができる。
【考案を実施するための最良の形態】
【００１１】
以下、図面を用いて本考案の実施例を説明する。
【実施例１】
【００１２】
図１ないし図３は本発明の実施例１の構成を示した図であり、図１は斜視図、図２は周
壁部材３０の内部構成を示した断面斜視図、図３は図１に示した冠着部材２０および周壁
部材３０の断面図である。
【００１３】
図１および図３において、Ｆはコンクリート等で形成された床であり、３はこの床Ｆに
その一部が埋設固定されているボルトである。５は、ボルト３と固定ナット４とによって
対象物である床Ｆに固定される自動販売機や変圧器等の被固定物である。図３において、
４ｂは固定ナット４の下端面に当接するワッシャー、１０はワッシャー４ｂと被固定物５
の表面との間に空隙を形成するためのスペーサである。
【００１４】
また、図２および図３において、２０は固定ナット４に冠着する冠着部材であり、３０
は冠着部材２０の外側面を覆う周壁部材である。冠着部材２０は金属によって構成し、周
壁部材３０も金属によって構成してあるが、この冠着部材２０を構成する材料や周壁部材
３０を構成する材料は、以上の材料に限定されるものではない。
【００１５】
冠着部材２０は、天板部２１とこの天板部２１の周縁部から下方（天板部２１から視て
ナット４の方向）に延在する複数枚の側壁部２２および周壁部材用係止爪２４，２５によ
って構成されている。天板部２１の中央部には、ボルト３が挿通可能な挿通口２１ａが設
けられている。
【００１６】
側壁部２２の下端部には、固定ナット４およびワッシャー４ｂと被固定物５の表面との
間にスペーサ１０によって形成される空隙Ｓに挿入され、ワッシャー４ｂを介して固定ナ
ット４の下端面に当接する冠着用係止爪２３が形成されている。このようにスペーサ１０
は、冠着用係止爪２３が挿入可能となるような空隙Ｓを形成するために配設されるスペー
ス形成手段として用いられるものである。このスペース形成手段は、スペーサ１０に限ら
れるものではなく、既に本願出願人が特開２００６−１６２０５１で開示したように、固
定ナットの下面側に一体的に形成されたスペーサ部やテーパー部としてもよい。さらに、
固定ナット４が所謂「面取り加工」が施されたナットである場合には、その「面取り部分
」の下側に、冠着用係止爪２３が挿入可能となる空隙Ｓが形成されるので、この「面取り
部分」を空隙Ｓを形成するスペース形成手段としてもよい。
【００１７】
この金属製の弾性を有する冠着部材２０は、固定ナット４およびワッシャー４ｂに容易
に被せることができるようにその側壁部２２および周壁部材用係止爪２４，２５が若干開
いた状態に形成されている。
【００１８】
周壁部材３０の内周壁面の下端部には、その全周に亘って内側方向に突設された円状突
起部３１が形成されている。この周壁部材３０の円状突起部３１に押圧されることにより
、冠着部材２０の冠着用係止爪２３は、固定ナット４の下端面にワッシャー４ｂを介して
当接した状態を維持することができる。
【００１９】
ここで、図３に示したように、弾性を有する金属製の冠着部材２０に配設されている周
壁部材用係止爪２４，２５は、その下端部が、周壁部材３０の円状突起部３１の上面部分
に当接するように形成されている。この周壁部材用係止爪２４，２５は円状突起部３１の
上面に略直角な状態で当接するように形成されているので、冠着部材２０に装着されてい
る周壁部材３０を容易に外すことはできない。
【００２０】
このように固定ナット４に冠着部材２０および周壁部材３０が装着された図３に示した
状態においては、固定ナット４を外部に露呈することは著しく困難となる。
【００２１】
図２に示したように、周壁部材３０の内周壁面の下端部には円状突起部３１が形成され
ている。本実施例１においては、周壁部材３０の内周壁面の上端部に内側方向に突設され
た円状鍔部３２が配設されている。この円状鍔部３２には、図１に示したように複数個の
切欠部３３が形成されている。
【００２２】
また、図２に示したように、円状突起部３１と円状鍔部３２との間に、リング３４が遊
嵌状態で配設されている。このリング３４の外径は、周壁部材３０の内径と略同じとなる
ような値に選ばれており、その内径は、円状突起部３１の内径以下の値となるように選ば
れている。従って、このリング３４は円状突起部３１と円状鍔部３２との間を上下方向に
移動可能な状態となるように周壁部材３０の内側に配設されている。
【００２３】
リング３４の内側には、図４（ａ）に示したような複数個の係合突起部３５が形成され
ている。この係合突起部３５は、図４（ｂ）に示したように、冠着部材２０の側壁部２２
と周壁部材用係止爪２４との間に形成されている隙間、または２つの周壁部材用係止爪２
４，２５の間に形成されている隙間に挿入可能となり、且つ、これらの隙間の上端部に当
接可能となるように形成されている。
【００２４】
図１および図２に示した装着解除具７０は、本体７１と、鉛直方向下方（図１，図２に
おいて本体７１から冠着部材２０に向かう方向）に延在するよう本体７１に配設された複
数個の押下脚部７２とによって構成されている。本体７１の中央部には、ボルト３が挿通
可能な鉛直方向に延在する挿通口７３が設けられている。
【００２５】
ここで複数個の押下脚部７２のそれぞれは、周壁部材３０の上部に形成されている複数
個の切欠部３３のそれぞれに上方から嵌入可能となる形状に形成されている。
【００２６】
この押下脚部７２の長さは、押下脚部７２を切欠部３３に嵌入させ、リング３４を円状
突起部３１の上縁部に当接させるまで押し下げた状態（図６（ｂ）に示した状態）で、リ
ング３４の上縁部と円状鍔部３２の上縁部との距離以上の長さとなるように選ばれている
。
【００２７】
また、それぞれの押下脚部７２の両側辺の一方の側には、切込部７２ａが形成されてい
る。この押下脚部７２の切込部７２ａは、先に説明した図６（ｂ）に示した状態で、円状
鍔部３２の下縁部に相当する位置から上方に向かってこの円状鍔部３２の厚み以上の長さ
を有するように形成されている。
【００２８】
従って、複数個の押下脚部７２のそれぞれを切欠部３３に嵌入させ、リング３４を円状
突起部３１の上縁部に当接させるまで押下げた状態においては、押下脚部７２を切込部７
２ａが形成されている側に回転移動させることができる。押下脚部７２を切込部７２ａの
方向に回転移動させると、切込部７２ａの下端部が周壁部材３０の円状鍔部３２の下縁部
に当接する。
【００２９】
次に以上のように構成された本実施例１の動作を図５ないし図８を用いて説明する。
【００３０】
先ず、固定ナット４に冠着部材２０および周壁部材３０を装着する場合には、図５（ａ
）〜（ｃ）に示したように、固定ナット４に冠着部材２０を装着した状態にしてから、周
壁部材３０を装着する。この周壁部材３０の装着過程においては、リング３４および係合
突起部３５は冠着部材２０に当接した状態で周壁部材３０内を上方向に移動する。
【００３１】
このようにして固定ナット４に装着された冠着部材２０および周壁部材３０を外す場合
には、図６（ａ）に示したように、装着解除具７０の本体７１を手で持ち、押下脚部７２
の位置を切欠部３３の位置に合わせた状態にして、周壁部材３０内に停止するまで挿入す
る。押下脚部７２を挿入した後、図７（ａ）に示したように、切込部７２ａが形成されて
いる側の方向（Ａ方向）に、本体７１を停止するまで回転移動させて図７（ｂ）に示した
状態にする。この図７（ｂ）に示した状態においては、切込部７２ａの下端部が円状鍔部
３２の下縁部に当接した状態となっている。この状態、すなわち図６（ｂ）に示した状態
においては、リング３４の内面に押圧されて周壁部材用係止爪２４，２５は内側に移動し
ており、この周壁部材用係止爪２４，２５と円状突起部３１とは係合状態から係合解除状
態に移行している。
【００３２】
この係合解除状態、すなわち図８（ａ）に示した状態で装着解除具７０を固定ナット４
から離す方向に移動させると、リング３４は周壁部材３０の移動に伴って固定ナット４か
ら離れる方向に移動する。そして、リング３４が、冠着部材２０の上端部付近まで移動す
ると、リング３４の係合突起部３５が冠着部材２０と係合して、この冠着部材２０が周壁
部材３０と共に固定ナット４から離れる方向に移動する（図８（ｂ）参照）。
【００３３】
以上のようにして、本実施例１においては、周壁部材３０に手を触れることなく周壁部
材３０および冠着部材２０を外すことが可能となる。従って固定ナット４が埋設状態であ
ったとしても、周壁部材３０および冠着部材２０を容易に外すことができて固定ナット４
を外部に露出させることができる。
【００３４】
このように、本実施例１によれば、被固定物５を固定ナット４で固定した際、固定ナッ
ト４から露出している固定ボルト３の長さに拘わりなく本実施例１を装着することができ
る。
【実施例２】
【００３５】
次に本考案の実施例２を図面を用いて説明する。
【００３６】
図９は本考案の実施例２の構成を示した図であり、図９（ａ）は斜視図、図９（ｂ）は
周壁部材３０の内部構成を示した断面斜視図である。
【００３７】
本実施例２が、先に説明した実施例１と異なっているところは、周壁部材３０の円状鍔
部３２の内側に円状天蓋部３２ａが円状鍔部３２と一体的となるように形成されており、
さらに、この円状天蓋部３２ａの中央部に固定ボルト３と螺合可能な螺合口３２ｂが形成
されているところである。その他の構成は、実施例１の構成と同様となっているので、そ
の説明は省略する。
【００３８】
以上のように構成された本実施例２においては、本実施例２を固定ナット４に装着する
場合には、図１０（ａ），（ｂ）に示したように、本実施例２のの螺合口３２ｂを固定ボ
ルト３の先端部に螺合させて、周壁部材３０を絞め込む方向に回転させることにより本実
施例を固定ナット４に装着させる。
【００３９】
また、本実施例２を固定ナット４から外す場合には、図１１（ａ），（ｂ）に示したよ
うに、本実施例２に装着解除具７０をセットした状態で、周壁部材３０が緩む方向に装着
解除具７０を回転させれば、本実施例を固定ナット４から外すことができる。
【図面の簡単な説明】
【００４０】
【図１】本考案の実施例１の構成を示す斜視図である。
【図２】本考案の実施例１の構成を示す断面斜視図である。
【図３】本考案の実施例１の構成を示す断面図である。
【図４】本考案の実施例１の構成の説明図である。
【図５】本考案の実施例１の動作説明図である。
【図６】本考案の実施例１の動作説明図である。
【図７】本考案の実施例１の動作説明図である。
【図８】本考案の実施例１の動作説明図である。
【図９】本考案の実施例２の構成を示す構成図である。
【図１０】本考案の実施例２の動作説明図である。
【図１１】本考案の実施例２の動作説明図である。
【図１２】従来の固定ナット用防犯具の説明図である。
【図１３】従来の固定ナット用防犯具の説明図である。
【図１４】従来の固定ナット用防犯具の説明図である。
【符号の説明】
【００４１】
３  ボルト
４  固定ナット
４ｂ  ワッシャー
５  被固定物
１０  スペーサ
２０  冠着部材
２１  天板部
２１ａ，７３  挿通口
２２  側壁部
２３  冠着用係止爪
２４，２５  周壁部材用係止爪
３０  周壁部材
３１  円状突起部
３２  円状鍔部
３２ａ  円状天蓋部
３２ｂ  螺合口
３３  切欠部
３４  リング
３５  係合突起部
７０  装着解除具
７１  本体
７２  押下脚部
７２ａ  切込部
Ａ  方向
Ｆ  床
Ｈ  ホイール
Ｓ  空隙
Ｔ  タイヤ
【図１】
0003138498.tif 000003
【図２】
0003138498.tif 000004
【図３】
0003138498.tif 000005
【図４】
0003138498.tif 000006
【図５】
0003138498.tif 000007
【図６】
0003138498.tif 000008
【図７】
0003138498.tif 000009
【図８】
0003138498.tif 000010
【図９】
0003138498.tif 000011
【図１０】
0003138498.tif 000012
【図１１】
0003138498.tif 000013
【図１２】
0003138498.tif 000014
【図１３】
0003138498.tif 000015
【図１４】
0003138498.tif 000016